(57)【要約】【課題】サミング操作が行い易く、巻乱れを防止することができるスプールを備えた魚釣用リールを提供する。【解決手段】釣糸Ｌが巻き付けられる釣糸巻付部と、この釣糸巻付部の少なくとも一端に設けられたフランジ部とを有するスプール１０を備えた魚釣用リール１であって、フランジ部の外側面１０ａに設けられ、繰り出された釣糸Ｌの中途部分Ｌ１を係脱可能に係止する釣糸係止部２０を備え、釣糸係止部２０は、外側面１０ａにおいて、フランジ部の外周よりも径方向内側位置に配置されている構成とした。【選択図】図１
2011167134.tif 000002
【特許請求の範囲】
【請求項１】
釣糸が巻き付けられる釣糸巻付部と、この釣糸巻付部の少なくとも一端に設けられたフランジ部とを有するスプールを備えた魚釣用リールであって、
前記フランジ部の外側面に設けられ、繰り出された前記釣糸の中途部分を係脱可能に係止する釣糸係止部を備え、
前記釣糸係止部は、前記外側面において、
前記フランジ部の外周よりも径方向内側位置に配置されていることを特徴とするスプールを備えた魚釣用リール。
【請求項２】
前記外側面に形成された凹状部と、前記凹状部に嵌合可能な蓋部とを有し、
前記釣糸係止部は、前記凹状部と蓋部との間に挟持されて固定される固定部と、前記固定部から前記蓋部の外側方に向けて突設された釣糸係止用のフック部と、を備えて構成されていることを特徴とする請求項１に記載のスプールを備えた魚釣用リール。
【請求項３】
前記釣糸係止部は、環状部と、前記環状部の周方向に所定の間隔を空けて複数突設され、釣糸係止用のフック部と、を備えて構成され、
前記フランジ部の前記外側面には、前記外側面の外側方に前記フック部を突出させた状態で前記環状部が嵌り込む溝部が形成されていることを特徴とする請求項１に記載のスプールを備えた魚釣用リール。
【請求項４】
前記外側面に形成された凹状部と、前記凹状部に嵌合可能な蓋部と、前記蓋部に一体的に形成され、前記蓋部の外側方に突設されて前記釣糸係止部として機能するフック部と、を備え、
前記フック部は、金型で成形する際、型割線を分割方向の略中心位置にして、前記釣糸巻付部の軸方向に分割された成型用金型により成形されるものであることを特徴とする請求項１に記載のスプールを備えた魚釣用リール。
【発明の詳細な説明】
【技術分野】
【０００１】
本発明は、スプールを備えた魚釣用リールに関する。
【背景技術】
【０００２】
従来、スプールを備えた魚釣用リールとして、例えば特許文献１に開示されているようなものが知られている。特許文献１の魚釣用リールは、ワカサギのような小魚を釣るために用いられるものであり、図８（ａ）に示すように、スプール６０を構成するフランジ部６１の外周に掛かるようにして、釣糸Ｌの中途部分を係止するための係止部６２が設けられている。
この係止部６２は、図８（ｂ）に示すように、基端部６３側が例えばフランジ部６１の内側に延設されて、釣糸Ｌが巻き付けられる釣糸巻付部６４等に固定されており、先端部６２ａがフランジ部６１の外周（外周面）を越えて外側面６１ａ側に折り返されている。
【０００３】
このようなスプール６０を備えた魚釣用リールによるワカサギ釣り等の落し込み釣りでは、仕掛けを所望の深さまで落とした際に、スプール６０から繰り出された釣糸Ｌの中途部分を係止部６２の先端部６２ａ側から係止部６２に引っ掛けて係止することによって、いわゆる棚取りを行うことができる。つまり、釣糸Ｌの中途部分を係止部６２に係止することにより、釣糸Ｌの巻き上げ後に再度仕掛けを落とす際に、係止部６２に引っ掛けられた釣糸Ｌの中途部分までがスプール６０から繰り出されるようになり、それ以上釣糸Ｌが繰り出されることが防止されて、前回と同じ棚位置に仕掛けを落とすことが可能となる。
【０００４】
また、このような係止部６２を備えたスプール６０として、図８（ｃ）に示すように、係止部６２の基端部６３側が、スプール６０の釣糸巻付部６４をスプール６０の軸方向に横断するように設けられたものも知られている。
【先行技術文献】
【特許文献】
【０００５】
【特許文献１】特開２０００−４７２６号公報
【発明の概要】
【発明が解決しようとする課題】
【０００６】
ところで、一般的に、ワカサギ釣り等の落し込み釣りにおいて、スプールから釣糸を繰り出して前記したように仕掛けを所望の深さにまで落とす際には、釣糸の繰り出し速度よりもスプールの回転速度が一時的に早くなるバックラッシュ現象が生じるおそれがある。このため、実釣時には、スプールに指を添える（接触させる）サミング操作を適宜行ってスプールに適度な制動を加えていた。
【０００７】
しかしながら、特許文献１のスプール６０を備えた魚釣用リールには、前記したような係止部６２がフランジ部６１の外周（外周面）に掛かるように設けられていたので、サミング操作時に係止部６２が指に当たり、サミング操作が行い難かった。
【０００８】
また、係止部６２に係止した釣糸Ｌの中途部分が、釣糸巻き上げ時等の負荷によって、図８（ｂ）に示すように、係止部６２とフランジ部６１との間を基端部６３側に移動して、釣糸巻付部６４に巻き付けられた釣糸Ｌ２の最外周部分Ｌ’にまで入り込んでしまうことがあり、棚位置を変更する際等に係止部６２から釣糸Ｌを取り外し難いという問題があった。
さらに、場合によっては、釣糸Ｌの中途部分が、係止部６２とフランジ部６１との間をさらに基端部６３側に移動して、釣糸Ｌ２の奥に隠れてしまうおそれがあり、スプール６０の周方向のどちら側に向けて係止部６２から釣糸Ｌを外せばよいのかを目視することができず、釣糸Ｌの取り外し難さが増すおそれがあった。
【０００９】
また、図８（ｃ）に示したスプール６０では、係止部６２の基端部６３側が釣糸巻付部６４の巻き付け面に対して傾斜し易く、釣糸Ｌの巻き姿が部分的に偏る等、巻乱れやほつれが生じるおそれがあった。
【００１０】
本発明は、前記諸問題を解決するためになされたものであり、サミング操作が行い易く、巻乱れを防止することができるスプールを備えた魚釣用リールを提供することを目的とする。
【課題を解決するための手段】
【００１１】
このような課題を解決する本発明のスプールを備えた魚釣用リールは、釣糸が巻き付けられる釣糸巻付部と、この釣糸巻付部の少なくとも一端に設けられたフランジ部とを有するスプールを備えた魚釣用リールであって、前記フランジ部の外側面に設けられ、繰り出された前記釣糸の中途部分を係脱可能に係止する釣糸係止部を備え、前記釣糸係止部は、前記外側面において、前記フランジ部の外周よりも径方向内側位置に配置されていることを特徴とする。
【００１２】
このスプールを備えた魚釣用リールによれば、繰り出された釣糸の中途部分を係脱可能に係止する釣糸係止部は、フランジ部の外側面において、フランジ部の外周よりも径方向内側位置に配置されているので、実釣時における釣糸繰り出し時のバックラッシュ現象を回避するために、フランジ部の外周（外周面）に指を添えるサミング操作を行っても、指が釣糸係止部に触れることがない。
【００１３】
また、釣糸係止部はフランジ部の外側面に設けられているので、係止した釣糸の中途部分は、常に、フランジ部の外側面に位置することとなり、従来のように、係止部の基端部側がフランジ部の内側にて釣糸巻付部等に固定されたもののように、係止した釣糸の中途部分がフランジ部の内側へ移動するような事態が生じない。
したがって、釣糸の中途部分が、フランジ部における胴部側に移動して、スプールに巻き付けられた釣糸の奥に隠れることもない。
【００１４】
また、釣糸係止部は、フランジ部の外側面に設けられているので、従来のように、係止部の基端部側が、スプールの釣糸巻付部をスプールの軸方向に横断するように設けられたもののように、釣糸係止部が釣糸の巻き姿に影響を及ぼすような事態が生じない。
【００１５】
また、本発明は、前記外側面に形成された凹状部と、前記凹状部に嵌合可能な蓋部とを有し、前記釣糸係止部は、前記凹状部と蓋部との間に挟持されて固定される固定部と、前記固定部から前記蓋部の外側方に向けて突設された釣糸係止用のフック部と、を備えて構成されていることを特徴とする。
【００１６】
このスプールを備えた魚釣用リールによれば、外側面に形成された凹状部と、この凹状部に嵌合可能な蓋部との間に、固定部を挟持することで釣糸係止部をフランジ部の外側面に固定することができ、釣糸係止用のフック部をフランジ部の外側部（蓋部の外側方）に向けて突出させた状態に配置することができる。
【００１７】
また、本発明は、前記釣糸係止部が、環状部と、前記環状部の周方向に所定の間隔を空けて複数突設され、釣糸係止用のフック部と、を備えて構成され、前記フランジ部の前記外側面には、前記外側面の外側方に前記フック部を突出させた状態で前記環状部が嵌り込む溝部が形成されていることを特徴とする。
【００１８】
このスプールを備えた魚釣用リールによれば、フランジ部の外側面に形成された溝部に、環状部を嵌め込むことによって、フランジ部の外側面の外側方にフック部を突出させた状態で釣糸係止部を組み付けることができる。
また、環状部には、釣糸係止用のフック部が周方向に所定の間隔を空けて複数突設されているので、溝部に、環状部を嵌め込むことによって、複数のフック部を一度に、フランジ部の外側面に組み付けることができる。
【００１９】
また、本発明は、前記外側面に形成された凹状部と、前記凹状部に嵌合可能な蓋部と、前記蓋部に一体的に形成され、前記蓋部の外側方に突設されて前記釣糸係止部として機能するフック部と、を備え、前記フック部は、金型で成形する際、型割線を分割方向の略中心位置にして、前記釣糸巻付部の軸方向に分割された成型用金型により成形されるものであることを特徴とする。
【００２０】
このスプールを備えた魚釣用リールによれば、蓋部と一体的に成形されるフック部は、金型で成形する際、型割線を分割方向の略中心位置にして、前記釣糸巻付部の軸方向に分割された成型用金型により成形されるものであるので、フック部に対して釣糸の中途部分を係脱する際に、型割線に釣糸の中途部分が接触し難くなる。
【発明の効果】
【００２１】
本発明によれば、釣糸係止部は、フランジ部の外側面において、フランジ部の周縁部よりも径方向内側位置に配置され、釣糸繰り出し時のサミング操作において指が釣糸係止部に触れることがないので、サミング操作が行い易くなり、スプールに対して適度な制動を加えることができる。これによって、釣糸繰り出し時の扱い易さが向上されたスプールを備えた魚釣用リールが得られる。
また、行い易いサミング操作により、スプールに対して適度な制動を加えることができるので、棚位置に達したときに、釣糸係止部や釣糸に対して急激な負荷が作用するのを防止することができ、糸切れ等が生じるのを好適に抑制することができる。これにより、手返しがよくなり、釣果の向上に寄与する。また、糸切れ等が生じ難くなるので経済的である。
【００２２】
また、釣糸係止部は、フランジ部の外側面に設けられ、係止した釣糸の中途部分が、常に、フランジ部の外側面に位置することとなるので、釣糸係止部に対する釣糸の中途部分の係脱操作が簡単である。また、釣糸係止部に対してフランジ部の周方向のどちら側から釣糸の中途部分を掛けたのかを目視で確認することができるので、釣糸係止部から釣糸を取り外し易いという利点も得られる。
【００２３】
さらに、釣糸係止部は、フランジ部の外側面に設けられ、釣糸係止部が釣糸の巻き姿に影響を及ぼすような事態が生じないので、釣糸の巻き姿が部分的に偏る等、巻乱れやほつれが生じるおそれがない。したがって、スムーズな釣糸の巻き上げおよび繰り出しを実現することができる。したがって、手返しがよくなり、釣果の向上に寄与する。また、スムーズな釣糸の巻き上げおよび繰り出しを実現することができるので、糸切れ等が生じ難くなって経済的である。
【００２４】
また、外側面に形成された凹状部と蓋部との間に固定部を挟持することで釣糸係止部をフランジ部の外側面に固定する構成では、フランジ部の外側部に対する釣糸係止部の固定が簡単であり、釣糸係止部を備えたスプールを簡単に製造することができる。
また、フック部は、フランジ部の外側方（蓋部の外側方）に向けて突出しているので、フック部に対して釣糸の中途部分を引っ掛ける際や、棚位置の設定や変更、さらには解除をする際の係脱操作が行い易い。これにより、手返しがよくなり、釣果の向上に寄与する。
【００２５】
また、釣糸係止部が、環状部と、環状部の周方向に所定の間隔を空けて複数突設された釣糸係止用のフック部と、を備えて構成されたものにおいては、溝部に、環状部を嵌め込むことによって、フランジ部の外側面に釣糸係止部を組み付けることができるので、組み付けが簡単であり、釣糸係止部を備えたスプールを簡単に製造することができる。
また、溝部に、環状部を嵌め込むことによって、複数のフック部を一度にフランジ部の外側面に組み付けることができるので、これらを１つずつ組み付けた場合に比べて組み付け工数を削減することができ、製造コストを低減することができる。
【００２６】
また、フック部が、型割線を分割方向の略中心位置にして、釣糸巻付部の軸方向に分割された成型用金型により成形される構成では、フック部に対して釣糸の中途部分を係脱する際に、型割線に釣糸の中途部分が接触し難くなるので、釣糸のスムーズな係脱が可能となる。また、釣糸を係脱する際に、型割線に対して釣糸が接触し難いので、釣糸を傷めることもなくなり、糸切れ等が生じ難くなるので経済的である。
【図面の簡単な説明】
【００２７】
【図１】（ａ）は本発明の第１実施形態に係るスプールを備えた魚釣用リールを示した外観斜視図、（ｂ）はスプール部分を取り外した状態の分解斜視図である。
【図２】（ａ）はスプールの側面図、（ｂ）は同じく断面図である。
【図３】（ａ）はフック部を組み付ける際の手順を示した部分斜視図、（ｂ）はフック部を組み付けた後の部分斜視図である。
【図４】（ａ）は釣糸繰り出し時におけるサミング操作の様子を示した斜視図、（ｂ）は釣糸係止部に釣糸の中途部分を係止したときの様子を示した部分斜視図である。
【図５】（ａ）は本発明の第２実施形態に係るスプールを備えた魚釣用リールのスプールを示した分解斜視図、（ｂ）〜（ｄ）は釣糸係止部の変形例を示した斜視図である。
【図６】本発明の第３実施形態に係るスプールを備えた魚釣用リールのスプールを示した分解斜視図である。
【図７】（ａ）（ｂ）はフック部を形成するための成形用金型の組み付け図、（ｃ）は、フック部周りの部分断面図、（ｄ）は型割線を示したフック部の拡大斜視図である。
【図８】（ａ）〜（ｃ）は従来技術の説明図である。
【発明を実施するための形態】
【００２８】
以下、本発明に係るスプールを備えた魚釣用リールの実施の形態について図面を参照しながら説明する。なお、以下の説明では、魚釣用リールとしてワカサギ釣り用の魚釣用リールに本発明を適用したものを例示するが、投げ、磯、船、ルアー釣りなど様々な釣りに用いられる魚釣用リールに本発明は適用可能であり、本発明のスプールを備えた魚釣用リールが適用される魚釣用リールの形態を限定する趣旨ではない。また、以下の説明において、「前後、左右、上下」を言うときは、図１（ａ）に示した方向を基準とする。
【００２９】
（第１実施形態）
本実施形態のスプール１０を備えた魚釣用リール１は、図１（ａ）に示すように、前部側上面の中央部にスプール受け部４が設けられ、ここにスプール１０が回転自在に軸支されている。また、魚釣用リール１の前端部に設けられた竿受け穴１ａに、釣竿Ｒの元部Ｒ１が挿入されて扁平な釣竿Ｒが魚釣用リール１に取り付けられるようなっている。
また、魚釣用リール１の内部には、図示しない電動モータが設けられており、この電動モータを魚釣用リール１内に収容されたバッテリーによって駆動することで、スプール１０が回転駆動され、スプール１０から繰り出された釣糸Ｌの巻き上げを行うことができるようになっている。なお、スプール１０の回転駆動は、魚釣用リール１の上面に突設されたクラッチレバー３を左右方向に傾倒操作することによって行われる。
【００３０】
魚釣用リール１は、その外郭を構成する筺体２を有して構成されている。筺体２は、可撓性および弾性を有する材料、例えばＡＢＳ樹脂、ポリカーボーネート等の合成樹脂材料で形成された略偏平な箱形であり、釣人が片方の手で掴む（把持する）ことができる程度の大きさを有している。
【００３１】
筺体２は、ロアケース２ａとトップカバー２ｂとで構成されており、ロアケース２ａには、図示しない電動モータの他、電動モータの回転力をスプール１０に伝達あるいは遮断するための図示しないクラッチ機構等が設けられている。なお、ロアケース２ａの下面には、図示しない蓋体を介してバッテリーを収容するための収容部が凹設されている。
【００３２】
トップカバー２ｂは、上方に凸となるように前後方向に滑らかな円弧を描いて湾曲膨出する形状を呈しており、ロアケース２ａに上方から被せられ、ねじ２ｃ（図１（ｂ）参照）や嵌め込み等の固定手段によってロアケース２ａに固定される。このようなトップカバー２ｂは、ロアケース２ａとの間に電動モータや前記したクラッチ機構等の収容空間を形成している。
【００３３】
トップカバー２ｂの前部側上面の中央部には、前記したようにスプール１０が配置される有底円筒状のスプール受け部４が形成されている。
スプール受け部４の略中心部には、図１（ｂ）に示すように、スプール１０を回転自在に軸支するためのスプール軸５がナット５ａに締め付けられて立設されている。スプール１０は、このスプール軸５に挿通されて回転自在に支持され、スプール軸５に螺合されるスプール止めナット７で、スプール軸５から脱落不能に保持されている。
【００３４】
なお、スプール軸５は、スプール受け部４から鉛直方向に上向きに延びる例を示したが、これに限られることはなく、スプール受け部４の底部を前方ヘ向けて下り傾斜状に形成し、これに合わせて、鉛直方向から前傾する状態に傾斜をもたせてもよい。このように構成することによって、スプール軸５に支持されるスプール１０を前傾させることができ、スプール１０をトップカバー２ｂの円弧形状に沿う設置状態とすることができる。
【００３５】
スプール受け部４の底部における後端角部には、切欠き部４ａが形成されている。この切欠き部４ａには、図示しない電動モータの出力軸の先端部に取り付けられた合成ゴム等の伝導部材４ｂが出没可能に配置されている。図１（ｂ）においては、切欠き部４ａを通じて伝導部材４ｂがスプール受け部４内に突出した状態を示している。
本実施形態では、クラッチレバー３の傾倒操作によって、図示しないクラッチ機構が作動されることで、切欠き部４ａを通じて伝導部材４ｂが出没するように構成されている。なお、伝導部材４ｂは、切欠き部４ａを通じてスプール受け部４内に突出した状態で（図１（ｂ）に示す状態で）、スプール１０の下面に当接し、摩擦力をもってスプール１０を回転駆動するようになっている。
【００３６】
トップカバー２ｂの上面の略中央部には、左右方向に向けてスリット２ｄが形成されており、このスリット２ｄを通じてクラッチレバー３がトップカバー２ｂ上に突設配置されている。なお、クラッチレバー３は、スリット２ｄに沿って魚釣用リール１の左右方向（短手方向）に傾倒操作可能であり、例えば、左右方向の中央位置にあるときにスプール１０を回転不能に保持するロック位置とすることができ、また、左側に傾倒された位置にあるときにスプール１０を回転駆動して繰り出された釣糸Ｌを巻き上げる巻き上げ位置とすることができ、さらには、右側に傾倒された位置にあるときにスプール１０のロックを解除して釣糸Ｌの繰り出しが可能となるフリー位置とすることができる。
【００３７】
なお、トップカバー２ｂの前端部におけるスプール受け部４の前方には、上端部が円環状とされた船べり停止ガイド６が突設されている。この船べり停止ガイド６は、釣糸Ｌの巻き過ぎを防止するストッパーとして機能する。すなわち、船べり停止ガイド６と釣竿Ｒ（図１（ａ）参照）のガイド等との間において、船べり停止ガイド６の円環部よりも大径のビーズＢを釣糸Ｌに通しておくことにより、釣糸Ｌの巻き上げ時に、このビーズＢが、巻き上げられてきたサルカンや、釣糸Ｌの結び目部分によって船べり停止ガイド６側に移動して当接し、その結果、釣糸Ｌの巻き上げが停止されることとなる。なお、サルカン等の締結具（船べり停止ガイド６の円環部よりも大径とされた部分を有する部材）を船べり停止ガイド６に直接当接させて釣糸Ｌの巻き過ぎを防止するようにしてもよい。
【００３８】
スプール１０は、主たる部材が、例えばＡＢＳ樹脂、ポリカーボーネート等の合成樹脂材料で形成されており、図２（ａ）に示すように、上フランジ部１１と、下フランジ部１２と、上フランジ部１１と下フランジ部１２との間に形成された胴部１３とを有している。本実施形態では、上フランジ部１１の内面（傾斜筒部１１ｂ）と胴部１３の周面と下フランジ部１２の内面（傾斜筒部１２ｂ）とによって、釣糸Ｌが巻き付けられる、側面視で略∨字形となる釣糸巻付部が構成されている。そして、上フランジ部１１の外側面となる上面１０ａ（図２（ｂ）参照）には、繰り出された釣糸Ｌの中途部分Ｌ１（図１（ａ）参照）を係脱可能に係止するための釣糸係止部２０が突設されている。
本実施形態のスプール１０では、上フランジ部１１に対して下フランジ部１２の外径が大径とされており、後記するように仕掛けを所望の深さまで落とす釣糸繰り出し時において、上フランジ部１１の周部１１ａに指を添えるサミング操作が行い易くなっている。
なお、胴部１３は釣糸巻付け面が円筒に形成された、いわゆる糸巻き状の形態のものでもよい。
【００３９】
上フランジ部１１は、図２（ｂ）に示すように、円筒状の周部１１ａと、この周部１１ａと胴部１３との間を接続する下り傾斜状の傾斜筒部１１ｂとを含み、外側面側となる上面１０ａ側が開口部（凹状部）１１Ａとされている。そして、この開口部１１Ａに、上蓋部（蓋部）３０が装着されて開口部１１Ａが上蓋部３０で塞がれるようになっている。
【００４０】
開口部１１Ａには、上蓋部３０の周縁下部３３が載置される載置部１１ｃが形成され、また、傾斜筒部１１ｂの胴部１３側寄りとなる基端部には、ベアリング１４を保持するための円筒状保持部１１ｄが設けられている。円筒状保持部１１ｄの外周面には、上蓋部３０の下面から下方へ向けて突設された円筒部３１の内面が嵌り込むようになっている。つまり、ベアリング１４は、ベアリング１４を直接保持する円筒状保持部１１ｄ、およびこの円筒状保持部１１ｄの外周面に嵌合する円筒部３１によって、スプール１０の径方向に位置ずれすることが好適に抑えられる状態にスプール１０内に組み付けられている。
なお、上フランジ部１１の開口部（凹状部）１１Ａにおける底部の断面形状は、本実施形態で示したものに限られることはなく、上蓋部３０の下面に対向する略平らな底面を有するものであってもよい。
また、上フランジ部１１に開口部１１Ａを形成したが、これに限られることはなく、上フランジ部１１の外側面を平らに形成して、外側面と上蓋部３０との間に釣糸係止部２０の固定部２１が挟持されて固定される凹部を形成して釣糸係止部２０を固定するようにしてもよい。
【００４１】
下フランジ部１２は、図２（ｂ）に示すように、上フランジ部１１の周部１１ａよりも大径とされた円筒状の周部１２ａと、この周部１２ａと胴部１３との間を接続する上り傾斜状の傾斜筒部１２ｂとを含み、周部１２ａの内面側に形成される下部開口に、下蓋部１７が装着されるようになっている。
周部１２ａは、下端外周がさらに径方向に膨出されて大径部１２ｅとされている。このように、周部１２ａが大径部１２ｅとされているので、前記したように、下フランジ部１２の周部１２ａが、上フランジ部１１の周部１１ａよりも大径とされていることと相俟って、スプール１０に巻き付けられた釣糸が仮に脱落したような場合にも、下フランジ部１２の下側（下蓋部１７の下側）に釣糸が侵入し難くなり、スプール軸５に釣糸Ｌが絡み付くことが抑制されている。したがって、手返しのよいスプール１０が得られる。
【００４２】
このような大径部１２ｅの内面側には、下蓋部１７の周縁部１７ａが接続される段部１２ｃが形成されている。
また、傾斜筒部１２ｂの胴部１３側寄りとなる基端部には、ベアリング１５を保持するための円筒状保持部１２ｄが下方へ向けて突設されている。この円筒状保持部１２ｄの外周面には、下蓋部１７の上面から上方へ向けて突設された円筒部１７ｄの内面が嵌り込むようになっている。つまり、ベアリング１５は、ベアリング１５を直接保持する円筒状保持部１２ｄ、およびこの円筒状保持部１２ｄの外周面に嵌合する円筒部１７ｄによって、スプール１０の径方向に位置ずれすることが好適に抑えられる状態にスプール１０内に組み付けられている。
【００４３】
なお、ベアリング１４とベアリング１５との間には、円筒状のスペーサ１６が配置されている。スペーサ１６の内径は、ベアリング１４，１５の内径よりも幾分大径とされており、スプール軸５（図１（ｂ）参照、以下同じ）にスプール１０が装着された状態で、その内面１６ａがスプール軸５の外周部との間に若干の隙間を有して配置されるようになっている。
また、スペーサ１６の外周面は、若干の隙間をもって胴部１３の内周面１３ａに保持されている。
【００４４】
ここで、ベアリング１４は、上フランジ部１１の円筒状保持部１１ｄに嵌り込む外径を有し、ベアリング１５は、下フランジ部１２の円筒状保持部１２ｄに嵌り込む外径を有している。
また、ベアリング１４，１５の内面１４ａ，１５ａは、スプール軸５に対するスプール１０の着脱を妨げない程度にスプール軸５に緩く外嵌される設定とされている。これによって、スプール軸５に対するスプール１０の着脱を許容しつつ、ベアリング１４，１５を介したスプール１０の好適な回転を実現している。
【００４５】
上蓋部３０は、円環板状を呈しており、上フランジ部１１の上面開口を塞ぐようにして上フランジ部１１の開口部１１Ａに固定され、上フランジ部１１との間に釣糸係止部２０を挟持して固定するようになっている。
そのための構成として上蓋部３０の周縁部には、図２（ｂ）、図３（ａ）に示すように、釣糸係止部２０を挿通配置するための切欠き部３２が形成されている。切欠き部３２は、釣糸係止部２０の立上部２２ａに対応した角形状に切り欠かれており、図２（ｂ）に示すように、上フランジ部１１の開口内周面１１ｅとの間に立上部２２ａを保持するようになっている。つまり、釣糸係止部２０は、切欠き部３２に保持される立上部２２ａを通じて、スプール１０の径方向および周方向のいずれにおいても移動不能に固定されている。本実施形態の切欠き部３２は、上蓋部３０の周縁部において等間隔に計３個（図３（ａ）では１個のみ図示）形成されている。
【００４６】
このような上蓋部３０は、図２（ｂ）に示すように、上フランジ部１１の載置部１１ｃに周縁下部３３が載置され、上フランジ部１１の円筒状保持部１１ｄの外周面に円筒部３１の内面が嵌り込むようにして、上フランジ部１１の開口部１１Ａに装着され、接着剤等により固定される。そして、このように固定された状態で、円筒状保持部１１ｄの上端面およびベアリング１４の径方向外側の上端面には、上蓋部３０の中央に形成された貫通孔３４の開口縁３４ａの下面が当接している。これによって、ベアリング１４の軸方向のズレや移動が上蓋部３０の装着によって好適に防止される構造となっている。
【００４７】
なお、上蓋部３０の貫通孔３４には、スプール止めナット７の下端小径部７ａが挿通されるようになっており、下端小径部７ａの下端面は、スプール軸５（図２（ｂ）においては不図示）に対してスプール止めナット７を締め付けることによって、ベアリング１４の径方向内側の上端面に当接するようになっている。このように下端小径部７ａの下端面がベアリング１４の前記上端面に当接した状態で、スプール止めナット７の下端小径部７ａの段差部７ｂは、貫通孔３４の開口縁３４ａとの間に所定の隙間を有して配置されるようになっており（開口縁３４ａに非接触状態となるようにされており）、これによって、スプール止めナット７を強く締め付けても、スプール１０の回転が阻害されることがなくなり、スプール１０の良好な回転が確保されるようになっている。
なお、スプール止めナット７の上端開口部には、スプール軸５（図２（ｂ）においては不図示）を伝わってスプール１０内に水滴が入り込むのを防止するためのシール部材（Ｏリング）７ｃが配置されている。
【００４８】
下蓋部１７は、円環板状を呈しており、下フランジ部１２の下面開口に形成された段部１２ｃに周縁部１７ａが接続され、下フランジ部１２の円筒状保持部１２ｄの外周面に円筒部１７ｄの内面が嵌り込むようにして、下フランジ部１２の開口部１２Ａに接着剤等により固定されている。そして、このように固定された状態で、円筒状保持部１２ｄの下端面およびベアリング１５の径方向外周の下端面には、下蓋部１７の中央に形成された貫通孔１７ｂの開口縁に形成された段状面部１７ｃがそれぞれ当接している。これによって、ベアリング１５の軸方向のズレや移動が下蓋部１７の装着によって好適に防止されている。
下蓋部１７の下面には、不織布等からなる円環状の滑り止め部材１７ｅが貼付されている。下蓋部１７の下面には、滑り止め部材１７ｅを介して、図示しない電動モータの出力時に取り付けられた伝導部材４ｂ（図１（ｂ）参照）が摩擦力をもって当接するようになっている。
なお、下蓋部１７の貫通孔１７ｂ内には、ナット５ａの上端が位置するようになっている。
【００４９】
釣糸係止部２０は、図３（ａ）に示すように、固定部２１と、フック部２２とからなり、図２（ｂ）に示すように、側面視で略コ字形状を呈している（図２（ｂ）参照）。
固定部２１は、略四角板状を呈しており、上フランジ部１１の載置部１１ｃと、上蓋部３０の下面（切欠き部３２の口縁部およびその近傍部）と、の間に挟持されて固定される厚さを有している。
【００５０】
フック部２２は、固定部２１から立ち上げられた立上部２２ａと、この立上部２２ａに連続する折曲部２２ｂとを有して構成されている。立上部２２ａは、上蓋部３０の切欠き部３２に挿通配置される部分であり、図２（ｂ）に示すように、切欠き部３２に挿通配置された状態で上フランジ部１１の開口内周面１１ｅとの間に保持されるようになっている。折曲部２２ｂは、立上部２２ａに連続して上蓋部３０の外側面（上面）に沿うように折り曲げられており、上蓋部３０の外側面との間に釣糸Ｌ（中途部分Ｌ１（図１（ａ）参照））を係脱可能に係止することができる隙間を隔てて設けられている。折曲部２２ｂの先端は、全体的に丸みを有するように形成され、その下面には、円形状の突部２２ｃが形成されている。この突部２２ｃは、フック部２２に係止された釣糸Ｌの脱落の抑制に寄与する。
【００５１】
このような釣糸係止部２０は、例えば、次のようにして上フランジ部１１に組み付けられる。はじめに、図３（ａ）に示すように、上蓋部３０に形成された３個の切欠き部３２（図３（ａ）では１個のみ図示）に釣糸係止部２０の立上部２２ａをそれぞれ係合させ、上蓋部３０に釣糸係止部２０を組み付ける。そうすると、図２（ｂ）に示すように、側面視コ字形状の釣糸係止部２０の固定部２１が上蓋部３０の下面における切欠き部３２の口縁およびその近傍部分に当接し、また、立上部２２ａが切欠き部３２の内面に当接し、さらに、折曲部２２ｂが上蓋部３０の外側面（上面）における口縁およびその近傍部分に被さるように位置して、折曲部２２ｂの突部２２ｃが外側面（上面）に緩く当接する状態に組み付けられる。なお、突部２２ｃは、上蓋部３０の外側面に隙間を有して配置されるようにしてもよい。
次に、釣糸係止部２０が組み付けられた上蓋部３０を、予め接着剤等を塗布した開口部１１Ａに組み付け、上フランジ部１１に上蓋部３０を装着する。そうすると、釣糸係止部２０の固定部２１が上フランジ部１１と上蓋部３０との間に挟持され、釣糸係止部２０が上フランジ部１１に脱落不能に固定される。
なお、上蓋部３０を上フランジ部１１に固定することによって、上蓋部３０の円筒部３１の内面が上フランジ部１１の円筒状保持部１１ｄの外面に嵌合され、さらに、上蓋部３０の貫通孔３４の開口縁３４ａの下面が円筒状保持部１１ｄの上端面および円筒状保持部１１ｄに挿入されたベアリング１４の径方向外側の上端面に当接するので、ベアリング１４は、スプール１０の径方向および軸方向に位置ずれすることが好適に抑えられる状態にスプール１０内に組み付けられることとなる。
【００５２】
次に、本実施形態のスプール１０を備えた魚釣用リール１を用いたワカサギ釣り等の落し込み釣りにおける作用について説明する。
はじめに、スプール１０のロックを解除すべく、クラッチレバー３を釣糸Ｌの繰り出しが可能となるフリー位置に傾倒操作する（例えば、右側に傾倒操作する（図４参照））。そうすると、スプール１０がフリー状態になり、仕掛けの先端に取り付けた錘の重さでスプール１０から釣糸Ｌが繰り出される。この際、サミング操作を行い、トップカバー２ｂを掴む手の指等をスプール１０の上フランジ部１１の外周に添える（接触させる）。そうすることにより、スプール１０に適度な制動が加わり、スプール１０のバックラッシュ現象が回避される。
【００５３】
ここで、釣糸係止部２０は、上フランジ部１１の上面１０ａ（外側面）において、上フランジ部１１の外周よりも径方向内側位置に配置されているので、サミング操作を行っても、指が釣糸係止部２０（フック部２２）に触れることがない。したがって、スムーズなサミング操作を行うことができる。
【００５４】
その後、サミング操作で様子を見ながら仕掛けの先端に取り付けた錘を着底させる。例えば、着定位置からハリス分、上に位置させた状態を棚位置とする場合には、その分、スプール１０を指で巻き上げ操作する。この操作は、上フランジ部１１に添えた指で行うことができ、この場合にも、指が釣糸係止部２０（フック部２２）に触れることがないので、違和感なく行うことができる。
そして、その棚位置を記憶させる場合には、フック部２２に、スプール１０から船べり停止ガイド６に向けて繰り出された釣糸Ｌの中途部分Ｌ１を指で摘み、図４（ｂ）に示すように、それをフック部２２に引っ掛ける。このときフック部２２は、周方向に複数設けられているので、船べり停止ガイド６側に一番近いフック部２２’に中途部分Ｌ１を引っ掛ける。
そうすると、フック部２２’に中途部分Ｌ１が引っ掛かった状態にて、釣糸Ｌが張られた状態となる。この状態で棚取りが可能となる。そして、この棚位置でスプール１０を回転不能に保持するために、クラッチレバー３をロック位置に操作する（例えば、左右方向の中央位置に操作する）。
【００５５】
ここで、フック部２２は上フランジ部１１の上面１０ａ（外側面）に設けられているので、係止した釣糸Ｌの中途部分Ｌ１は、常に、上フランジ部１１の上面１０ａに位置することとなり、従来のように、係止部の基端部側がフランジ部の内側にて釣糸巻付部等に固定されたもののように、係止した釣糸Ｌの中途部分Ｌ１が上フランジ部１１の内側へ移動するような事態が生じない。
したがって、釣糸Ｌの中途部分Ｌ１が、上フランジ部１１の胴部１３側（内側）に移動して、スプール１０に巻き付けられた釣糸Ｌの奥に隠れることもない。
また、フック部２２は、上フランジ部１１の上面１０ａ（外側面）に設けられているので、従来のように、係止部の基端部側が、スプールの釣糸巻付部をスプールの軸方向に横断するように設けられたもののように、フック部２２が釣糸Ｌの巻き姿に影響を及ぼすような事態も生じない。
【００５６】
その後、釣糸Ｌを巻き上げる際には、クラッチレバー３を釣糸Ｌの巻き上げが可能となる巻上げ位置に傾倒操作する（例えば、左側に傾倒操作する）。そうすると、図示しない電動モータが駆動され、スプール１０が巻き上げ方向に回転する。これにより、繰り出されていた釣糸Ｌが巻き上げられる。そして、釣糸Ｌに予め装着したサルカン等の図示しない締結具が巻き上げられてきてビーズＢ（図１（ａ）参照）を巻き上げ方向に押すと、押されたビーズＢが船べり停止ガイド６に当接して、釣糸Ｌの巻き上げが停止される。
【００５７】
その後、巻き取った釣糸Ｌを、サミング操作しつつ再度繰り出すと、釣糸Ｌ（中途部分Ｌ１）がフック部２２で係止された位置で停止し、それ以上釣糸Ｌがスプール１０から繰り出されることが防止されて、所望の棚位置に仕掛けが落とされることとなる。
【００５８】
以上説明した本実施形態のスプール１０を備えた魚釣用リール１によれば、釣糸係止部２０（フック部２２）は、上フランジ部１１の上面１０ａ（外側面）において、上フランジ部１１の周部（外周面）よりも径方向内側位置に配置されているので、実釣時における釣糸繰り出し時のバックラッシュ現象を回避するために、上フランジ部１１の周部１１ａに指を添えるサミング操作を行っても、指が釣糸係止部２０（フック部２２）に触れることがない。したがって、サミング操作が行い易くなり、スプール１０に対して適度な制動を加えることができる。これによって、釣糸繰り出し時の扱い易さが向上されたスプール１０を備えた魚釣用リール１が得られる。
【００５９】
また、行い易いサミング操作により、スプール１０に対して適度な制動を加えることができるので、棚位置に達したときに、釣糸係止部２０（フック部２２）や釣糸Ｌに対して急激な負荷が作用するのを防止することができ、糸切れ等が生じるのを好適に抑制することができる。これにより、手返しがよくなり、釣果の向上に寄与する。また、糸切れ等が生じ難くなるので経済的である。
【００６０】
また、釣糸係止部２０（フック部２２）は、上フランジ部１１の上面１０ａ（外側面）に設けられ、係止した釣糸Ｌの中途部分Ｌ１が、常に、上フランジ部１１の上面１０ａに位置することとなるので、釣糸係止部２０（フック部２２）に対する釣糸Ｌの中途部分Ｌ１の係脱操作が簡単である。また、釣糸係止部２０（フック部２２）に対して上フランジ部１１の周方向のどちら側から釣糸Ｌの中途部分Ｌ１を掛けたのかを目視で確認することができるので、釣糸係止部２０（フック部２２）から釣糸Ｌを取り外し易いという利点も得られる。
【００６１】
さらに、釣糸係止部２０（フック部２２）は、上フランジ部１１の上面１０ａに設けられ、釣糸係止部２０が釣糸Ｌの巻き姿に影響を及ぼすような事態が生じないので、釣糸Ｌの巻き姿が部分的に偏る等、巻乱れやほつれが生じるおそれがない。したがって、スムーズな釣糸Ｌの巻き上げおよび繰り出しを実現することができる。したがって、手返しがよくなり、釣果の向上に寄与する。また、スムーズな釣糸Ｌの巻き上げおよび繰り出しを実現することができるので、糸切れ等が生じ難くなって経済的である。
【００６２】
また、上フランジ部１１の開口部１１Ａ（凹状部）と上蓋部３０との間に固定部２１を挟持することで釣糸係止部２０を上フランジ部１１の上面１０ａ（外側面）に固定することができるので、釣糸係止部２０の固定が簡単であり、釣糸係止部２０を備えたスプール１０を簡単に製造することができる。
また、フック部２２は、上フランジ部１１の外側部（上蓋部３０の外側方）に向けて突出しているので、フック部２２に対して釣糸Ｌの中途部分Ｌ１を引っ掛ける際や、棚位置の設定や変更、さらには解除をする際の係脱操作が行い易い。これにより、手返しがよくなり、釣果の向上に寄与する。
【００６３】
（第２実施形態）
次に、第２実施形態のスプールを備えた魚釣用リールについて説明する。本実施形態では、図５（ａ）に示すように、釣糸係止部２０Ａが、環状部２４と、環状部２４の周方向に所定の間隔を空けて複数突設されたフック部２２と、により構成されており、環状部２４が嵌り込む溝部１８が上フランジ部１１の上面１０ａ（外側面）に形成されている点が異なっている。
【００６４】
環状部２４は、円形状を呈しており、上フランジ部１１に形成された溝部１８に嵌合可能な大きさを有している。
フック部２２は、環状部２４と一体的に設けられており、本実施形態では環状部２４の周方向に等間隔で３個設けられている。フック部２２の立上部２２ａは、環状部２４の上面から立ち上がっており、これに連続する折曲部２２ｂは、環状部２４の径方向内側に向けて折り曲げられている。
【００６５】
溝部１８は、環状部２４が嵌り込む円形状を呈しており、上フランジ部１１の上面１０ａ（外側面）において、上フランジ部１１の周部１１ａよりも径方向内側位置、に形成されている。したがって、溝部１８に環状部２４を嵌め込むと、フック部２２は、上フランジ部１１の周部１１ａよりも径方向内側位置に配置されることとなる。
なお、環状部２４は、接着剤等により溝部１８に固定することができる。
【００６６】
本実施形態によれば、上フランジ部１１の上面１０ａ（外側面）に形成された溝部１８に、環状部２４を嵌め込むことによって、上フランジ部１１の上面１０ａ（外側面）の上方（外側方）にフック部２２を突出させた状態で釣糸係止部２０Ａを組み付けることができる。したがって、サミング操作が行い易く、巻乱れを防止することができるとともに、組み付けが簡単である、釣糸係止部２０Ａを備えたスプール１０を製造することができる。
【００６７】
また、環状部２４には、フック部２２が周方向に所定の間隔を空けて複数突設されているので、溝部１８に、環状部２４を嵌め込むことによって、複数のフック部２２を一度に、上フランジ部１１の上面１０ａ（外側面）に組み付けることができる。したがって、これらを１つずつ組み付けた場合に比べて、組み付け工数を削減することができ、製造コストを低減することができる。
【００６８】
なお、環状部２４の内側面に係合突部２５を設け、この係合突部２５が係合される受け部１８ａを上フランジ部１１の上面１０ａに設けてもよい。
このように構成することによって、溝部１８に環状部２４を嵌め込む際に、受け部１８ａに対して係合突部を係合することができるので、上フランジ部１１に対して釣糸係止部２０Ａを周方向に回り止めして取り付けることができる。したがって、別途、回り止め構造を設ける必要がなくなり、製造コストの低減を図ることができる。
【００６９】
図５（ｂ）（ｃ）は、釣糸係止部２０Ａの変形例を示した斜視図である。図５（ｂ）に示した釣糸係止部２０Ａは、２つの直線状の環状部２６ａ，２６ｂを交互に組み合わせて環状部２６を六角形状（正六角形に近い形状）の多角形としたものである。また、図５（ｃ）に示した釣糸係止部２０Ａは、４つのフック部２２を備え、これらを直線状の環状部２７ａ，２７ｂで接続して環状部２７を略四角形としたものである。
なお、上フランジ部１１の上面１０ａには、図示はしないが、これらの釣糸係止部２０Ａの環状部２６，２７に対応する形状の溝部１８が設けられている。
【００７０】
このような釣糸係止部２０Ａを用いることによっても、前記した作用効果と同様の作用効果が得られる。また、環状部２６，２７が角形状であるので、上フランジ部１１に対して釣糸係止部２０Ａを周方向に回り止めして取り付けることができる。したがって、別途、回り止め構造を設ける必要がなくなり、製造コストの低減を図ることができる。
【００７１】
また、図５（ｄ）は、釣糸係止部２０Ｂの変形例を示した斜視図である。図５（ｄ）に示した釣糸係止部２０Ｂは、上蓋部３５に円弧状の切欠き３６を形成し、この切欠き３６の側方に、釣糸Ｌの中途部分Ｌ１（図１（ａ）参照）を係脱可能に係止することができる舌片状のフック部３７を有して構成されている。
【００７２】
このような釣糸係止部２０Ｂを用いることによっても、前記した作用効果と同様の作用効果が得られる。
また、円弧状の切欠き３６を形成することによって、フック部３７を形成することができるので、釣糸係止部２０Ｂの形成が簡単である。したがって、釣糸係止部２０Ｂを備えたスプール１０を簡単に製造することができる。
【００７３】
（第３実施形態）
次に、第３実施形態のスプールを備えた魚釣用リールについて説明する。本実施形態では、図６に示すように、上フランジ部１１の外側面に形成された凹状部１１ｇに嵌合可能な上蓋部３８を備え、この上蓋部３８に、上蓋部３８の外側方に突設されて釣糸係止部として機能するフック部２２を一体的に形成した点が異なっている。
【００７４】
本実施形態においても、フック部２２は、上蓋部３８から立ち上がる立上部２２ａと、この立上部２２ａから折れ曲がる折曲部２２ｂとを有している。そして、上蓋部３８は、折曲部２２ｂに対向する部分に上面視で略半円形状の貫通孔３９を有しており、上フランジ部１１の凹状部１１ｇには、貫通孔３９に嵌合する上面視で略半円形状の嵌合突部１１ｆが設けられている。つまり、上蓋部３８を凹状部１１ｇに装着すると、貫通孔３９に嵌合突部１１ｆが嵌合して、貫通孔３９が塞がれるようになっている。
【００７５】
本実施形態では、上蓋部３８が金型で形成されるようになっており、上蓋部３８が成形される際にフック部２２が一体的に成形されるようになっている。
ここで、図７各図を参照して、射出成形による上蓋部３８の成形工程の一例について説明する。
図７（ａ）に示すように、成形金型は上型４０と下型５０とを備えて構成されている。上型４０には、下型５０との間にフック部２２の立上部２２ａを成形するための凹部４１が設けられており、また、この凹部４１に連続してフック部２２の折曲部２２ｂの上側部分を成形するための凹部４２が設けられている。
一方、下型５０には、上型４０内に入り込む突出部５５を備えている。突出部５５には、フック部２２の折曲部２２ｂの下側部分を成形するための凹部５１が設けられている。また、凹部５１には、折曲部２２ｂの突部２２ｃを形成するための凹部５２が設けられている。
【００７６】
成形時には、図７（ｂ）に示すように、図中の上下方向から上型４０および下型５０を組み合わせる。この際下型５０の突出部５５は、上型４０により形成される上蓋部３８の外側面３８ａ（図７（ｂ）参照）を越えて上蓋部３８の反外側面側（下面側）から上型４０内に進入する。これにより突出部５５の凹部５１が上型４０の凹部４２に合わさり、折曲部２２ｂを成形するためのキャビティが形成される。また、その際に、突出部５５の進入により、突出部５５は上蓋部３８の貫通孔３９を形成する。つまり、下型５０の突出部５５を利用して貫通孔３９が形成されるようになっている。
【００７７】
そして、このように組み合わせた後、型締めをし、図示しないゲートを通じて溶融樹脂を充填して、型内に射出圧力の付された溶融樹脂を満たす。そして、充填後の冷却によって、樹脂材が硬化すると、図７（ｃ）に示すように、フック部２２が一体的に形成された上蓋部３８が成形される。
【００７８】
ここで、フック部２２の折曲部２２ｂは、前記したように上型４０と下型５０の突出部５５とが合わさることによって成形されるので、図７（ｃ）（ｄ）に示すように、上型４０と下型５０との分割方向の略中心位置に、型割線Ｘ１が位置するように形成されることとなる。
【００７９】
本実施形態によれば、上蓋部３８と一体的に成形されるフック部２２（折曲部２２ｂ）は、成形時に、型割線Ｘ１を分割方向の略中心位置にして、分割された上型４０と下型５０とにより成形されるものであるので、フック部２２に対して釣糸Ｌの中途部分Ｌ１を係脱する際に、型割線Ｘ１に釣糸Ｌの中途部分Ｌ１が接触し難くなる。
したがって、釣糸Ｌのスムーズな係脱が可能となる。また、釣糸Ｌを係脱する際に、型割線Ｘ１に対して釣糸Ｌが接触し難いので、釣糸Ｌを傷めることもなくなり、糸切れ等が生じ難くなるので経済的である。
【００８０】
また、成形時に下型５０の進入を利用して簡易に貫通孔３９を形成することができる。したがって、成形金型（上型４０、下型５０）の構成が簡単になる。
また、凹状部１１ｇに上蓋部３８を取り付ける際に、貫通孔３９に対して嵌合突部１１ｆを嵌合することができるので、凹状部１１ｇに対して上蓋部３８を周方向に回り止めして取り付けることができる。したがって、別途、回り止め構造を設ける必要がなくなり、製造コストの低減を図ることができる。
【００８１】
なお、前記各実施形態では、上フランジ部１１と下フランジ部１２とを有するスプール１０について説明したが、これに限られることはなく、釣糸巻付部（胴部１３）のいずれか一方の側にのみフランジ部を有して、これに釣糸係止部が設けられたものであってもよい。
【００８２】
また、前記第１実施形態では、１枚の上蓋部３０によって各釣糸係止部２０を挟持して固定するように構成したが、これに限られることはなく、各釣糸係止部２０を別々に分割された蓋部で挟持して固定するように構成してもよい。
【００８３】
また、前記第２実施形態において、環状部２４等の上面視形状は、三角形状、多角形状、楕円形状等であってもよい。
【符号の説明】
【００８４】
１      魚釣用リール
１０    スプール
１０ａ  上面
１１    上フランジ部
１１Ａ  開口部（凹状部）
１１ａ  周部
１１ｂ  傾斜筒部
１１ｇ  凹状部
１２    下フランジ部
１３    胴部
１８    溝部
２０，２０Ａ，２０Ｂ  釣糸係止部
２１    固定部
２２    フック部
２２ａ  立上部
２２ｂ  折曲部
２４    環状部
２６    環状部
２７    環状部
３０    上蓋部
３５    上蓋部
３７    フック部
３８    上蓋部
３８ａ  外側面
４０    上型
５０    下型
Ｌ      釣糸
Ｌ１    中途部分
Ｘ１    型割線
【図１】
2011167134.tif 000003
【図２】
2011167134.tif 000004
【図３】
2011167134.tif 000005
【図４】
2011167134.tif 000006
【図５】
2011167134.tif 000007
【図６】
2011167134.tif 000008
【図７】
2011167134.tif 000009
【図８】
2011167134.tif 000010